(57)【要約】【課題】動作電圧が低い表示装置及びその駆動方法を提供することを目的の一つとする。【解決手段】表示装置であって、第１期間に、第１電極に対して正極性となる第１電圧を第２電極に印可し、画像信号に応じた第１電圧を第１電極に印可し、第１期間より後の第２期間に、第１電極に対して負極性となる第２電圧を第２電極に印可し、画像信号に応じた第２電圧を第１電極に印可し、第１期間と第２期間の間の第３期間に、前記第１電極に印可される画像信号に応じた電圧がとり得る範囲の最小値よりも大きく、第１電圧以下の範囲で決められた共通電圧を複数の第１電極に印可する。【選択図】図４
2019078979.tif 000002
【特許請求の範囲】
【請求項１】
複数の第１電極と、
前記第１電極に対向して配置された第２電極と、
前記第１電極と前記第２電極とに挟まれて配置され、印加される電圧に基づいて光学特性を変化させる電気光学素子と、
映像信号線に接続された第１端子、前記第１電極に接続された第２端子、及び走査信号線に接続され前記第１端子と前記第２端子との間の導通を制御するためのゲート端子を有するトランジスタと、
前記映像信号線、前記走査信号線及び前記第２電極へ供給する電圧を制御する制御回路であって、
第１期間に、
前記第１電極に対して正極性となる第１電圧を前記第２電極に印可し、
画像信号に応じた電圧を前記第１電極に印可し、
前記第１期間より後の第２期間に、
前記第１電極に対して負極性となる第２電圧を前記第２電極に印可し、
画像信号に応じた電圧を前記第１電極に印可し、
前記第１期間と前記第２期間の間の第３期間に、前記第１電極に印可される画像信号に応じた電圧がとり得る範囲の最小値よりも大きく、前記第１電圧以下の範囲で決められた共通電圧を前記複数の第１電極に印可する
制御回路と、
を備える表示装置。
【請求項２】
前記複数の第１電極に対向して配置された前記第２電極のそれぞれは、電気的に接続されている
請求項１に記載の表示装置。
【請求項３】
前記電気光学素子は液晶素子である
請求項１に記載の表示装置。
【請求項４】
前記電気光学素子に向けられる光源部をさらに備え、
前記第３期間に、前記光源部をオフする電圧を前記光源部に印加する
請求項１に記載の表示装置。
【請求項５】
前記電気光学素子に向けられる光源部をさらに備え、
前記制御回路は光源制御部を有し、
前記第３期間に、前記光源制御部が前記光源部をオフする電圧を前記光源部に印加する
請求項１に記載の表示装置。
【請求項６】
複数の第１電極と、
前記第１電極に対向して配置された第２電極と、
前記第１電極と前記第２電極とに挟まれて配置され、印加される電圧に基づいて光学特性を変化させる電気光学素子と、
映像信号線に接続された第１端子、前記第１電極に接続された第２端子、及び走査信号線に接続され前記第１端子と前記第２端子との間の導通を制御するためのゲート端子を有するトランジスタと、
前記電気光学素子に向けられる光源部と、
前記映像信号線、前記走査信号線、前記第２電極及び前記光源部へ供給する電圧を制御する制御回路と、
を備える表示装置の駆動方法であって、
前記制御回路は前記第２電極に、前記第１電極に対して正極性となる第１電圧を印可し、
前記制御回路は前記第１電極に、画像信号に応じた電圧を印可し、
前記制御回路は前記複数の第１電極に、前記第１電極に印可される画像信号に応じた電圧の取りうる範囲よりも大きく、前記第１電圧以下の範囲で決められた共通電圧を印可すると共に、前記制御回路は前記光源部に前記光源部をオフする電圧を印加し、
前記制御回路は前記第２電極に、前記第１電極に対して負極性となる第２電圧を印可し、
前記制御回路は前記第１電極に、画像信号に応じた電圧を印可する
駆動方法。
【請求項７】
前記複数の第１電極に対向して配置された前記第２電極のそれぞれは、電気的に接続されている
請求項６に記載の駆動方法。
【請求項８】
前記電気光学素子は液晶素子である
請求項６に記載の駆動方法。
【発明の詳細な説明】
【技術分野】
【０００１】
本発明は、表示装置及び駆動方法に関する。
【背景技術】
【０００２】
液晶を用いた表示装置は、ノートパソコン、液晶テレビ、携帯情報端末などの表示装置として、幅広く普及している。液晶の動作原理は、例えば、ＴＮ（Ｔｗｉｓｔｅｄ  Ｎｅｍａｔｉｃ）モード、ＳＴＮ（Ｓｕｐｅｒ  Ｔｗｉｓｔｅｄ  Ｎｅｍａｔｉｃ）モードなどがある。近年、高分子分散型液晶（Ｐｏｌｙｍｅｒ  Ｄｉｓｐｅｒｓｅｄ  Ｌｉｑｕｉｄ  Ｃｒｙｓｔａｌ）方式（ＰＤＬＣ方式）の表示装置が注目されている。ＰＤＬＣは、電圧を印加しない場合、不透明な白色状態であり、電圧を印加した場合、透明になる。この特徴を利用したＰＤＬＣ方式の表示装置は、例えば、ガラス窓の採光及び遮光が電源のオンオフにより実現できる。また、ＰＤＬＣ方式の表示装置は、偏光板を使用することなく、広視野角を実現可能である。
【０００３】
特許文献１には、フィールドシーケンシャル方式の駆動方法を用いた液晶表示装置が開示されている。フィールドシーケンシャル方式の駆動方法を用いた液晶表示装置は、複数の単位色の光源を順次点灯させることで、カラー表示を行うことができる。すなわち、カラーフィルタを用いることなく、カラー表示を行うことができる。カラーフィルタを用いた表示装置と比較して、同じ解像度を実現するのに１／３の画素数で済み、また、光の透過率がカラーフィルタで失われることがないという利点がある。また、特許文献１に開示されている液晶表示装置は、複数の画素に対してデータを消去する信号を印加する一括リセットなどを設けることで、均一な表示を実現することが可能となる。
【先行技術文献】
【特許文献】
【０００４】
【特許文献１】特開２００５−２４７５５号公報
【発明の概要】
【発明が解決しようとする課題】
【０００５】
ＰＤＬＣ方式の表示装置は、フィールドシーケンシャル方式の駆動方法を用いることで、カラーフィルタを用いることなく、カラー表示を行うことができる。しかしながら、ＰＤＬＣ方式の表示装置の動作電圧は、一般的な液晶表示装置の動作電圧が１０Ｖ程度であるのに対し、６０Ｖ程度であって、非常に大きい。すなわち、ＰＤＬＣ方式の表示装置は、消費電力が大きくなってしまう。
【０００６】
従って、本発明の一実施形態は、動作電圧が低い表示装置及びその駆動方法を提供することを目的の一つとする。
【課題を解決するための手段】
【０００７】
表示装置であって、複数の第１電極と、第１電極に対向して配置された第２電極と、第１電極と第２電極とに挟まれて配置され、印加される電圧に基づいて光学特性を変化させる電気光学素子と、映像信号線に接続された第１端子、第１電極に接続された第２端子及び走査信号線に接続され第１端子と第２端子との間の導通を制御するためのゲート端子を有するトランジスタと、映像信号線、走査信号線及び第２電極へ供給する電圧を制御する制御回路であって、第１期間に、第１電極に対して正極性となる第１電圧を第２電極に印可し、画像信号に応じた第１電圧を第１電極に印可し、第１期間より後の第２期間に、第１電極に対して負極性となる第２電圧を第２電極に印可し、画像信号に応じた第２電圧を第１電極に印可し、第１期間と第２期間の間の第３期間に、前記第１電極に印可される画像信号に応じた電圧がとり得る範囲の最小値よりも大きく、第１電圧以下の範囲で決められた共通電圧を複数の第１電極に印可する。
【０００８】
複数の第１電極と、第１電極に対向して配置された第２電極と、第１電極と第２電極とに挟まれて配置され、印加される電圧に基づいて光学特性を変化させる電気光学素子と、映像信号線に接続された第１端子、第１電極に接続された第２端子、及び走査信号線に接続され第１端子と第２端子との間の導通を制御するためのゲート端子を有するトランジスタと、電気光学素子に向けられる光源部と、映像信号線、走査信号線、第２電極及び光源部へ供給する電圧を制御する制御回路と、を備える表示装置の駆動方法であって、制御回路は第２電極に、第１電極に対して正極性となる第１電圧を印可し、制御回路は第１電極に、画像信号に応じた電圧を印可し、制御回路は複数の第１電極に、第１電極に印可される画像信号に応じた電圧の取りうる範囲よりも大きく、第１電圧以下の範囲で決められた共通電圧を印可すると共に、制御回路は光源部に光源部をオフする電圧を印加し、制御回路は第２電極に、第１電極に対して負極性となる第２電圧を印可し、制御回路は第１電極に、画像信号に応じた電圧を印可する。
【図面の簡単な説明】
【０００９】
【図１】本発明の一実施形態に係る表示装置の構成を示す模式的な平面図である。
【図２】本発明の一実施形態に係る表示装置が有する表示パネルを示す模式的な平面図である。
【図３】本発明の一実施形態に係る表示装置が有する画素回路を示す回路図である。
【図４】本発明の一実施形態に係る表示装置の駆動方法を説明するためのタイミングチャートの例である。
【図５】本発明の一実施形態に係る表示装置の駆動方法を説明するためのタイミングチャートの例である。
【図６】本発明の一実施形態に係る表示装置の駆動方法を説明するためのタイミングチャートの例である。
【図７】本発明の一実施形態に係る表示装置の駆動方法を用いたときに画素回路に印可される電圧の例を示す模式的な図である。
【図８】本発明の一実施形態に係る表示装置の駆動方法を用いたときに画素回路に印可される電圧の例を示す模式的な図である。
【図９】従来のＰＤＬＣを用いた液晶表示装置の駆動方法を説明するためのタイミングチャートの例である。
【図１０】従来のＰＤＬＣを用いた液晶表示装置において、画素回路に印可される電圧の例を示す模式的な図である。
【図１１】従来のＰＤＬＣを用いた液晶表示装置において、画素回路に印可される電圧の例を示す模式的な図である。
【図１２】本発明の一実施形態に係る表示装置の駆動方法を説明するためのフローチャートの例である。
【図１３】本発明の一実施形態に係る表示装置の駆動方法を説明するためのタイミングチャートの例である。
【図１４】本発明の一実施形態に係る表示装置の駆動方法を説明するためのタイミングチャートの例である。
【発明を実施するための形態】
【００１０】
以下、本発明の実施形態を、図面等を参照しながら説明する。但し、本発明は多くの異なる態様で実施することが可能であり、以下に例示する実施の形態の記載内容に限定して解釈されるものではない。また、図面は説明をより明確にするため、実際の態様に比べ、各部の構成等について模式的に表される場合があるが、あくまで一例であって、本発明の解釈を限定するものではない。さらに、本明細書と各図において、既出の図に関して前述したものと同様の要素には、同一の符号（または数字の後にａ、ｂなどを付した符号）を付して、詳細な説明を適宜省略することがある。なお、各要素に対する「第１」、「第２」と付記された文字は、各要素を区別するために用いられる便宜的な標識であり、特段の説明がない限りそれ以上の意味を有さない。
【００１１】
（第１実施形態）
本実施形態では、本発明の一実施形態に係る表示装置の構成を説明する。
【００１２】
本発明は、フィールドシーケンシャル方式の駆動方法を用いた液晶表示装置を前提とする。また、本発明は、フレーム反転駆動またはフィールド反転駆動のいずれか一方と、コモン反転駆動とを用いた液晶表示装置を前提とする。本発明は、コモン反転を行う前に、表示装置が有するすべての画素に、定電圧を印加する。当該定電圧は、コモン電極に供給される信号の振幅の振れ幅の最大値である。また、当該画素は、トランジスタを有している。トランジスタのゲートに供給される信号の振幅の振れ幅の最小値は、コモン電極に供給される信号の振幅の振れ幅の最小値よりも小さい。また、トランジスタのゲートに供給される信号の振幅の振れ幅の最大値は、コモン電極に供給される信号の振幅の振れ幅の最大値よりも大きい。本発明は、コモン反転を行う前に、表示装置が有するすべての画素に、定電圧を印加することで、画素が有するトランジスタのゲートに供給する信号の振幅を、例えば、約４０％低減することができる。また、トランジスタの耐圧に対する要求値を約４０％低減することができる。
【００１３】
なお、一例として、フレームとは、表示装置に１画面分の画像信号に応じた電圧を書き込み、画像を表示する期間である。また、一例として、フレーム反転駆動とは、フレームごとに画像信号に応じた電圧の極性を正から負、または、負から正に切り替える駆動である。また、一例として、フィールド反転駆動とは、フレームを分割し、分割したフレームごとに、画像信号に応じた電圧の極性を正から負、または、負から正に切り替える駆動である。分割したフレームをフィールドとよぶ。また、一例として、コモン反転駆動とは、コモン電極に印可される電圧を、コモン電極に印可される信号の振幅の振れ幅の最大値と最小値を、フレームごと、あるいは、フィールドごとに切り替える駆動である。表示装置の駆動方法は、フレーム反転駆動とコモン反転駆動とを組み合わせてもよい。また、表示装置の駆動方法は、フィールド反転駆動とコモン反転駆動の組み合わせてもよい。
【００１４】
図１は、本発明の一実施形態に係る表示装置６００の構成を示す模式図である。
【００１５】
図１に示すように、表示装置６００は、例えば、回路基板３００、光源装置４００、及び表示パネル５００を備えている。
【００１６】
回路基板３００は、少なくとも、電源部３０２と、信号供給部３０４とを有する。電源部３０２は、光源装置４００に、コネクタ５１３を介して電力を供給し、光源装置４００を動作させることができる。また、電源部３０２は、表示パネル５００に、コネクタ５１２を介して電力を供給し、表示パネル５００を動作させることができる。信号供給部３０４は、表示パネル５００に表示するための画像信号及び、表示パネル５００を駆動するための信号を、コネクタ５１３を介して光源装置４００に供給することができる。また、信号供給部３０４は、表示パネル５００に表示するための画像信号及び、表示パネル５００を駆動するための信号を、コネクタ５１２を介して表示パネル５００に供給することができる。コネクタ５１２及びコネクタ５１３は、フレキシブルプリント回路（ＦＰＣ、Ｆｌｅｘｉｂｌｅ  Ｐｒｉｎｔｅｄ  Ｃｉｒｃｕｉｔ）を用いることができる。
【００１７】
光源装置４００は、例えば、光源制御部４０２と、光源部４０４とを有する。
【００１８】
光源制御部４０２は、例えば、信号供給部３０４から供給された表示パネル５００を駆動するための信号に基づいて、光源部４０４を制御する。例えば、光源部４０４のオンとオフを制御する。すなわち、表示パネル５００に光を照射することと、光を遮断することとを制御する。光源部４０４は、ＲＬＥＤ（Ｒｅｄ  Ｌｉｇｈｔ  Ｅｍｉｔｔｉｎｇ  Ｄｉｏｄｅ、赤色発光ダイオード）４１２、ＧＬＥＤ（Ｇｒｅｅｎ  Ｌｉｇｈｔ  Ｅｍｉｔｔｉｎｇ  Ｄｉｏｄｅ、緑色発光ダイオード）４１４、及びＢＬＥＤ（Ｂｌｕｅ  Ｌｉｇｈｔ  Ｅｍｉｔｔｉｎｇ  Ｄｉｏｄｅ、青色発光ダイオード）４１６を有する。光源部４０４が、ＲＬＥＤ４１２、ＧＬＥＤ４１４、及びＢＬＥＤ４１６から構成されることで、フィールドシーケンシャル方式の駆動方法に対応した表示装置を提供することができる。
【００１９】
信号供給部３０４は、例えば、マイクロコントローラユニット（ＭＣＵ、Ｍｉｃｒｏ  Ｃｏｎｔｒｏｌｌｅｒ  Ｕｎｉｔ）及び記憶回路を有していてもよい。ＭＣＵは、記憶回路に記憶されたプログラムを読み出し、読み出されたプログラムにしたがって、表示パネル５００及び光源装置４００を制御する信号を生成することができる。また、ＭＣＵは、記憶回路に記憶されたプログラムを読み出し、読み出されたプログラムにしたがって、信号供給部３０４から供給された表示パネル５００に表示するための画像信号及び、表示パネル５００を駆動するための信号を、表示パネル５００及び光源装置４００に振り分けることができる。さらに、ＭＣＵは、信号供給部３０４、表示パネル５００及び光源装置４００に供給する信号のタイミングを制御してもよい。なお、信号供給部３０４は、ＭＣＵの代わりに、ＦＰＧＡ（Ｆｉｅｌｄ  Ｐｒｏｇｒａｍｍａｂｌｅ  Ｇａｔｅ  Ａｒｒａｙ）を有していてもよいし、ＭＣＵとＦＰＧＡとの両方を有していてもよい。ＦＰＧＡは、ＭＣＵの役割を担うことができる。
【００２０】
表示パネル５００は、基板５１４、表示領域５０４、映像信号線駆動回路５０６、走査信号線駆動回路５０８、走査信号線駆動回路５１０及び制御回路１２２を有する。
【００２１】
基板５１４上に、表示領域５０４、映像信号線駆動回路５０６、走査信号線駆動回路５０８、走査信号線駆動回路５１０及び制御回路１２２が形成される。コネクタ５１２は基板５１４に接続される。映像信号線駆動回路５０６、走査信号線駆動回路５０８、走査信号線駆動回路５１０及び制御回路１２２は、そのすべてが、基板５１４上に形成されなくてもよい。例えば、映像信号線駆動回路５０６、走査信号線駆動回路５０８、走査信号線駆動回路５１０及び制御回路１２２の一部、または、すべての機能を含む集積回路（ＩＣ、Ｉｎｔｅｇｒａｔｅｄ  Ｃｉｒｃｕｉｔ）（図示せず）が、基板５１４上、或いはコネクタ５１２上に配置されてもよい。
【００２２】
基板５１４は、ガラス基板のような硬い基材でもよいし、可撓性を有する基材でもよい。ガラス基板のような硬い基材は、例えば、ガラス基板、石英基板、セラミックス基板に例示される材料を含むことができる。基板５１４が、ガラス基板のような硬い基材を用いることで、剛性が高い表示パネル５００を提供することができる。可撓性を有する基材は、例えば、ポリイミド、ポリアミド、ポリエステル、ポリカーボネートに例示される高分子材料から選択される材料を含むことができる。基板５１４が、可撓性を有する基材を用いることで、軽く、かつ薄い表示パネル５００を提供することができる。
【００２３】
表示領域５０４は、複数の画素５０２を含んでいる。複数の画素５０２は、一方向及び一方向と交差する方向に沿って、配列される。複数の画素５０２の配列数は任意である。例えば、Ｘ方向にｍ個、Ｙ方向にｎ個の画素５０２が配列される。ｍとｎはそれぞれ独立に、１よりも大きい自然数である。表示領域５０４は画素５０２が一方向及び一方向と交差する方向に沿って配列される領域を含む。画素５０２の各々は、電気光学素子を有する。電気光学素子は、２つの電極に挟まれて配置され、２つの電極間に印可される電圧に基づいて、光学特性を変化させる。電気光学素子は、例えば、液晶素子である。
【００２４】
本発明の一実施形態における表示パネル５００は、フィールドシーケンシャル方式の駆動方法を用いて、ＲＬＥＤ４１２、ＧＬＥＤ４１４、及びＢＬＥＤ４１６を順次点灯させることで、カラー表示を行うことができる。すなわち、カラーフィルタを用いることなく、カラー表示を行うことができる。各画素に２５６段階の電圧あるいは電流を供給することで、フルカラーの表示装置を提供することができる。本発明の一実施形態における表示パネル５００は、カラーフィルタを用いた表示装置と比較して、同じ解像度を実現するのに１／３の画素数で済み、また、光の透過率がカラーフィルタによって低下することがない。
【００２５】
図２は、本発明の一実施形態に係る表示装置が有する表示パネルを示す模式的な平面図である。図１と同様の構成は説明を省略する。なお、表示領域５０４において、複数の走査信号線４１０は行方向に配設され、複数の映像信号線４０９は列方向に配設される。
【００２６】
表示パネル５００は、４８０×６４０個の画素が４８０行６４０列に配置された表示領域を有する例を示す。例えば、ｎ行ｍ−１列の画素は（ｎ、ｍ−１）で表す。ｎ行の走査信号線４１０はＧｎで表す。ｍ−１列の映像信号線４０９はＳＬｍ−１で表す。
【００２７】
制御回路１２２は、各信号や電源電圧を、映像信号線駆動回路５０６、走査信号線駆動回路５０８及び走査信号線駆動回路５１０に供給する。制御回路１２２は、制御回路１２２が有する論理回路（図示せず）や電圧生成回路（図示せず）を用いて、各信号や電源電圧などから新たな信号や電源電圧を生成し、映像信号線駆動回路５０６、走査信号線駆動回路５０８及び走査信号線駆動回路５１０に供給してもよい。
【００２８】
映像信号線駆動回路５０６は、例えば、表示パネル５００を駆動するための信号によって、表示パネル５００に表示するための画像信号、及びコモン電極に供給する信号の振幅の振れ幅の最大値または振幅の振れ幅の最小値を映像信号線４０９に供給する。走査信号線駆動回路５０８及び走査信号線駆動回路５１０は、画素５０２が有するトランジスタのゲートを制御する第１の信号または画素５０２が有するトランジスタの第２の信号を走査信号線４１０に供給する。供給された信号によって、画素５０２が有する液晶素子を駆動することで、表示領域５０４に画像を表示することができる。なお、画素５０２が有するトランジスタは図３で説明する。
【００２９】
図３は、本発明の一実施形態に係る表示装置が有する画素回路を示す回路図である。なお、図３の画素回路は一例であって、これに限定されるものではない。図３では、電気光学素子が液晶素子である例を示す。
【００３０】
画素５０２の各々は、トランジスタ４３２、液晶素子４３６及び保持容量４３８を有する。
【００３１】
トランジスタ４３２のソース又はドレインの一方を第１の端子とし、トランジスタ４３２のソース又はドレインの他方を第２の端子とし、トランジスタ４３２のゲートを第３の端子とする。保持容量４３８の一方の端子を第４の端子とし、保持容量４３８の他方の端子を第５の端子とする。液晶素子４３６の一方の端子を第６の端子とし、液晶素子４３６の他方の端子を第７の端子とする。
【００３２】
第３の端子は走査信号線４１０に電気的に接続されている。第１の端子は映像信号線４０９に電気的に接続されている。第２の端子は第５の端子及び第７の端子に電気的に接続されている。第２の端子と第５の端子と第７の端子が電気的に接続されている点をノードＡとする。
【００３３】
第４の端子は、ＶＣＯＭＳに電気的に接続されている例を示す。ＶＣＯＭＳは複数の画素５０２に対して共通に設けられている。第４の端子は、第６の端子に接続されていてもよい。保持容量４３８は、ノードＡに書き込まれた画像信号に応じた電圧に相当する電荷を保持する。ここで、ノードＡに書き込まれた画像信号に応じた電圧は、ノードＡに入力された画像信号に応じた電圧であってもよいし、ノードＡに供給された画像信号に応じた電圧であってもよい。当該画像信号に応じた電圧は、画素の階調に対応したデータであってもよい。
【００３４】
第６の端子は、コモン電極である。コモン電極にはＶＣＯＭＳが接続される。ＶＣＯＭＳは、コモン電極に電圧を供給する信号線である。当該コモン電極は複数の画素５０２に対して共通に設けられている。
【００３５】
図４は、本発明の一実施形態に係る表示装置の駆動方法を説明するためのタイミングチャートの例である。
【００３６】
ＷＡＬは、トランジスタ４３２のゲートに供給される第１の信号が供給される信号線である。第１の信号は、コモン反転により、ＶＣＯＭＳに供給される信号の電位が変化する前のＴａｗｒの期間において、トランジスタ４３２をオン状態にする信号である。第１の信号の振幅は、例えば、０Ｖから３５Ｖである。Ｔａｗｒの期間において、トランジスタ４３２がオン状態になることで、ノードＡにＶＣＯＭＳに供給される信号の振幅の振れ幅の最大値を書き込むことができる。すなわち、画素は、ＶＣＯＭＳに供給される信号の振幅の振れ幅の最大値が書き込まれる。例えば、ＶＣＯＭＳに供給される信号の振幅の振れ幅の最大値は３０Ｖである。なお、第１の信号は、走査信号線駆動回路５０８及び又は走査信号線駆動回路５１０から、走査信号線４１０に供給されてもよい。第１の信号は、制御回路１２２から、走査信号線４１０に供給されてもよい。第１の信号が、制御回路１２２から、走査信号線４１０に供給される場合、走査信号線４１０と、走査信号線駆動回路５０８及び走査信号線駆動回路５１０との間にスイッチを設けて、走査信号線４１０がスイッチによって、第１の信号と、走査信号線駆動回路５０８及び走査信号線駆動回路５１０とのどちらに電気的に接続されるかを選択できるようにすればよい。なお、図４においては、第１の信号は、走査信号線駆動回路５０８及び又は走査信号線駆動回路５１０から、走査信号線４１０に供給される例を示す。
【００３７】
ＧＳＴは、各画素に対応する画像信号に応じた電圧を書き込むための信号を生成する引き金になる信号線である。各画素に対応する画像信号に応じた電圧を書き込むための信号を生成する引き金になる信号がゲートスタートパルスである。ＧＳＴは、走査信号線駆動回路５０８及び又は走査信号線駆動回路５１０に供給される。
【００３８】
ＧＣＫは、クロック信号線である。ＧＣＫは、走査信号線駆動回路５０８及び又は走査信号線駆動回路５１０に供給される。ＧＣＫによって、走査信号線駆動回路５０８及び又は走査信号線駆動回路５１０に供給された信号がシフトされる。例えば、図１１に示すように、走査信号線駆動回路５０８及び又は走査信号線駆動回路５１０に供給されたゲートスタートパルスが、ＧＣＫによって、ＧＣＫの半周期分シフトされた信号がＧ１に供給されている信号である。
【００３９】
Ｇ１は１行目の走査信号線４１０である。Ｔｇｏｎは、Ｇ１に信号の振幅の振れ幅の最大値が供給されている期間を示している。
【００４０】
Ｇ２は２行目の走査信号線４１０である。Ｇ２に供給されている信号は、ＧＣＫによって、Ｇ１に供給されている信号が１周期分シフトされている。
【００４１】
ＧＳＴ、Ｇ１、Ｇ２で示したように、走査信号線４１０に供給される信号は、ＧＣＫによってシフトされ、各行の走査信号線４１０に電気的に接続されたトランジスタ４３２を制御する。
【００４２】
Ｇｎはｎ行目の走査信号線４１０である。Ｇｎ＋１はｎ＋１行目の走査信号線４１０である。Ｇ４７９は４７９行目の走査信号線４１０である。Ｇ４８０は４８０行目の走査信号線４１０である。Ｔｂｌｏｎは光源部４０４がオンしている期間である。Ｔｂｌａｎｋは、Ｇ４８０に信号が供給されてから、光源部４０４がオンするまでの期間である。なお、Ｇ１、Ｇ２、ＧｎからＧｎ＋１、Ｇ４７９、及びＧ４８０は、Ｔａｗｒの期間において、トランジスタ４３２がオン状態になるように、第１信号が供給される。
【００４３】
ＰＩＸ（１、ｍ）は、１行ｍ列の画素に供給される信号を示している。ｆ−１番目のフレームでは、ｆ−１番目のフレームのＰＩＸ（１、ｍ）の階調電圧がＰＩＸ（１、ｍ）に供給される。ｆ番目のフレームでは、ｆ番目のフレームのＰＩＸ（１、ｍ）の階調電圧がＰＩＸ（１、ｍ）に供給される。Ｔａｗｒ期間において、Ｔｒｖｃｏｍは、画像信号に応じた電圧が不定である信号が供給されている期間である。Ｔａｗｒ期間において、画像信号に応じた電圧が不定である信号が供給されたのちに、コモン電極に供給される信号の振幅の振れ幅の最大値が供給される。コモン電極に供給される信号の振幅の振れ幅の最大値は、ＶＣＯＭ電圧である。
【００４４】
ＰＩＸ（ｎ、ｍ）は、ｎ行ｍ列の画素に供給される信号を示している。ｆ−１番目のフレームでは、ｆ−１番目のフレームのＰＩＸ（ｎ、ｍ）の階調電圧がＰＩＸ（ｎ、ｍ）に供給される。ｆ番目のフレームでは、ｆ番目のフレームのＰＩＸ（ｎ、ｍ）の階調電圧がＰＩＸ（１、ｍ）に供給される。Ｔａｗｒ期間において、Ｔｒｖｃｏｍは、画像信号に応じた電圧が不定である信号が供給されている期間である。Ｔａｗｒ期間において、画像信号に応じた電圧が不定である信号が供給されたのちに、コモン電極に供給される信号の振幅の振れ幅の最大値が供給される。コモン電極に供給される信号の振幅の振れ幅の最大値は、ＶＣＯＭ電圧である。
【００４５】
ＰＩＸ（４８０、ｍ）は、４８０行ｍ列の画素に供給される信号を示している。ｆ−１番目のフレームでは、ｆ−１番目のフレームの（４８０、ｍ）の階調電圧が（４８０、ｍ）に供給される。ｆ番目のフレームでは、ｆ番目のフレームの（４８０、ｍ）の階調電圧が（４８０、ｍ）に供給される。Ｔａｗｒ期間において、Ｔｒｖｃｏｍは、画像信号に応じた電圧が不定である信号が供給されている期間である。Ｔａｗｒ期間において、画像信号に応じた電圧が不定である信号が供給されたのちに、コモン電極に供給される信号の振幅の振れ幅の最大値が供給される。コモン電極に供給される信号の振幅の振れ幅の最大値は、ＶＣＯＭ電圧と示している。
【００４６】
階調電圧は、例えば、画像信号に応じた電圧である。
【００４７】
図４に示したように、Ｔａｗｒ期間において、全ての画素は、画像信号に応じた電圧が不定である信号が供給されたのちに、コモン電極に供給される信号の振幅の振れ幅の最大値が供給される。コモン電極に供給される信号の振幅の振れ幅の最大値は、ＶＣＯＭ電圧である。例えば、ＶＣＯＭ電圧は３０Ｖである。なお、Ｔｔｒｓｉｇは、各走査信号線４１０の立ち上がりから各画素に供給される電圧が確定するまでの期間である。
【００４８】
なお、Ｔｖｃｏｍは、全ての画素に、コモン電極に供給される信号の振幅の振れ幅の最大値が供給され、供給された電圧が保持される期間である。また、Ｔｗは、画素に画像信号に応じた電圧が書き込まれる期間である。
【００４９】
図５は、本発明の一実施形態に係る表示装置の駆動方法を説明するためのタイミングチャートの例である。
【００５０】
図５では、１フレーム期間を３つに分けている。分けた期間を１フィールドとする。すなわち、１フレーム期間は３つのフィールド期間に分割されている。第１の期間（１Ｈ）は、光源部４０４のＲＬＥＤ４１２を点灯させて、赤色の画像を表示する。第２の期間（２Ｈ）は、光源部４０４のＧＬＥＤ４１４を点灯させて、緑色の画像を表示する。第３の期間（３Ｈ）は、光源部４０４のＢＬＥＤ４１６を点灯させて、青色の画像を表示する。
【００５１】
図５は、一例として、１フレーム（１Ｆ）期間が１６．６８ｍｓ、すなわち、６０Ｈｚとした例を示している。１フィールドは５．５６ｍｓである。
【００５２】
１Ｈについて説明する。Ｇ１、Ｇ２、Ｇｎ、Ｇｎ＋１、Ｇ４７９及びＧ４８０が記載されたタイミングチャートは、表示パネル５００の画素５０２に画像信号に応じた電圧が書き込まれ、表示パネル５００に画像が表示されることを示している。Ｇ１、Ｇ２、Ｇｎ、Ｇｎ＋１、Ｇ４７９及びＧ４８０が記載されたタイミングチャートにおいて、斜線部のうちのＴｗは、Ｇ１、Ｇ２、Ｇｎ、Ｇｎ＋１、Ｇ４７９及びＧ４８０の順に画素５０２に画像信号に応じた電圧が書き込まれている期間である。この期間では、Ｇ１からＧ４８０の各行の走査信号線４１０に、電気的に接続されたトランジスタ４３２を制御する信号が供給されている。Ｇ１、Ｇ２、Ｇｎ、Ｇｎ＋１、Ｇ４７９及びＧ４８０が記載されたタイミングチャートにおいて、斜線部のうちのＦ／３−Ｔｗ−Ｔａｗｒ期間は、画像が表示されている期間である。この期間では、ＲＬＥＤ４１２が点灯している。
【００５３】
例えば、Ｔｗの期間が２．７８ｍｓとすると、Ｆ／３−Ｔｗ−Ｔａｗｒ期間は、２．７８ｍｓ−Ｔａｗｒ期間となる。また、Ｔｗの期間が２．１６ｍｓとすると、Ｆ／３−Ｔｗ−Ｔａｗｒ期間は、３．４０ｍｓ−Ｔａｗｒ期間となる。Ｔｗの期間を調整することで、画像信号を速く書き込み、長い期間画像を表示することが可能となる。よって、液晶素子の応答時間を十分に確保することができる。したがって、表示装置は、表示ムラが無い、均一な画像を表示することができる。
【００５４】
ＷＡＬは、図４で説明しているため、ここでの説明は省略する。
【００５５】
ＢＬＰＳは、光源部４０４のオンオフを制御する信号線である。ＢＬＰＳは、光源部４０４のオンオフを制御する信号が供給されている。ＢＬＰＳは、Ｔｂｌｏｎの期間に、信号の振幅の振れ幅の最大値が供給されている。ＢＬＰＳは、信号の振幅の振れ幅の最大値が供給されるとき、光源部４０４がオンする、すなわち、ＲＬＥＤ４１２が点灯する。ＢＬＰＳは、信号の振幅の振れ幅の最小値が供給されるとき、光源部４０４がオフする、すなわち、ＲＬＥＤ４１２が点灯しない。ＢＬＰＳの信号の振幅は、例えば、３０Ｖ（０Ｖから３０Ｖ）である。
【００５６】
ＶＣＯＭＳは、コモン電極に電圧を供給する信号線である。コモン反転により、コモン電極に供給される信号の振幅の振れ幅の最大値と振幅の振れ幅の最小値とが切り替わる。図５においては、当該振幅は３０Ｖ（０Ｖから３０Ｖ）である例を示している。振幅の振れ幅の最大値は３０Ｖであり、振幅の振れ幅の最小値は０Ｖである。
【００５７】
データ入力線ＤＩＮは、画素に画像信号に応じた電圧を供給する信号線である。図５においては、１Ｈでは、画像信号ＲＤＡＴＡが供給される。２Ｈでは、画像信号ＧＤＡＴＡが供給される。３Ｈは、画像信号ＢＤＡＴＡが供給される。図５においては、画像信号に応じた電圧は０Ｖから３０Ｖの間の値である例を示している。なお、斜線部は、画像信号に応じた電圧が不定である。
【００５８】
２Ｈ及び３Ｈは、１Ｈの動作が繰り返される。ただし、２Ｈでは、ＢＬＰＳは、光源部４０４がオンするとき、ＧＬＥＤ４１４が点灯し、光源部４０４がオフするとき、ＧＬＥＤ４１４が点灯しない。３Ｈでは、ＢＬＰＳは、光源部４０４がオンするとき、ＢＬＥＤ４１６が点灯し、光源部４０４がオフするとき、ＢＬＥＤ４１６が点灯しない。
【００５９】
図６は本発明の一実施形態に係る表示装置の駆動方法を説明するためのタイミングチャートの例である。図６は、ｎ行ｍ列の画素を例にしたタイミングチャートである。ＰＩＸ（ｎ、ｍ）はｎ行ｍ列の画素を表す。図６において、ｆは２以上の自然数である。
【００６０】
ＷＡＬは、図４で説明しているため、ここでの説明は省略する。
【００６１】
Ｇｎはｎ行の走査信号線４１０である。Ｇｎは、ｆ−１番目のフレームと、ｆ番目のフレームとのそれぞれにおいて、走査信号線駆動回路５０８及び又は走査信号線駆動回路５１０から、トランジスタ４３２のゲートをオン状態にする信号が供給される。トランジスタ４３２のゲートをオン状態にする信号によって、液晶素子４３６の一方に、画像信号に応じた電圧を書き込むことができる。すなわち、画素は、画像信号に応じた電圧が書き込まれる。図６においては、ｆ−１番目のフレームでは、データ入力線ＤＩＮに供給されている画像信号ＢＤＡＴＡが書き込まれる。画像信号ＢＤＡＴＡは、ｆ−１番目のフレームのＰＩＸ（ｎ、ｍ）の階調電圧である。
【００６２】
ＶＣＯＭＳは、図５で説明しているため、ここでの説明は省略する。
【００６３】
データ入力線ＤＩＮは、図５で説明しているため、図５と同様の内容については、説明を省略する。図６においては、ｆ−１番目のフレームは、画像信号ＢＤＡＴＡが供給される。ｆ番目のフレームは、画像信号ＲＤＡＴＡが供給される。図６においては、画像信号に応じた電圧は０Ｖから３０Ｖの間の値である例を示している。なお、斜線部は、画像信号に応じた電圧が不定である。
【００６４】
ＰＩＸ（ｎ、ｍ）は、ｎ行ｍ列の画素に供給される信号を示している。図６においては、ｆ−１番目のフレームでは、データ入力線ＤＩＮに供給されている画像信号ＢＤＡＴＡが書き込まれる。画像信号ＢＤＡＴＡは、ｆ−１番目のフレームのＰＩＸ（ｎ、ｍ）の階調電圧である。ｆ番目のフレームでは、データ入力線ＤＩＮに供給されている画像信号ＲＤＡＴＡが書き込まれる。画像信号ＲＤＡＴＡは、ｆ番目のフレームのＰＩＸ（ｎ、ｍ）の階調電圧である。Ｔａｗｒ期間において、斜線部は、画像信号に応じた電圧が不定である信号が供給されている。Ｔａｗｒ期間において、画像信号に応じた電圧が不定である信号が供給されたのちに、コモン電極に供給される信号の振幅の振れ幅の最大値が供給される。図６においては、コモン電極に供給される信号の振幅の振れ幅の最大値は、ＶＣＯＭ電圧であり、３０Ｖである。階調電圧は、例えば、画像信号に応じた電圧である。
【００６５】
図７及び図８は、本発明の一実施形態に係る表示装置の駆動方法を用いたときに画素回路に印可される電圧の例を示す模式的な図である。
【００６６】
本発明の一実施形態に係る表示装置においては、コモン反転を行う前に、表示装置が有するすべての画素に、定電圧を印加する。図４で説明したように、定電圧は、コモン電極に供給される信号の振幅の振れ幅の最大値であり、例えば、３０Ｖである。図７は、コモン反転を行う前に、ノードＡに３０Ｖが書き込まれた後の画素回路を示している。すなわち、Ｔａｗｒの期間の画素回路を示している。第３の端子は−５Ｖが印加されている。トランジスタ４３２の第２の端子と第３の端子との間の電圧Ｖｇｓは−３５Ｖである。したがって、トランジスタ４３２は、第１の端子と第２の端子との間に電流は流れない。すなわち、トランジスタ４３２は、オフ状態である。
【００６７】
図８は、ノードＡに定電圧である３０Ｖが書き込まれ、さらに、コモン反転した後の画素回路を示している。すなわち、Ｔｖｃｏｍの期間の画素回路を示している。第３の端子は−５Ｖが印加されている。コモン反転することで、コモン電極の電位が、３０Ｖから０Ｖになる。それに伴い、ノードＡの電位が３０Ｖから０Ｖになる。したがって、Ｖｇｓが−５Ｖとなる。よって、トランジスタ４３２はオフ状態を保っており、トランジスタ４３２は、第１の端子と第２の端子との間に電流は流れない。よって、トランジスタ４３２は、画像信号に応じた電圧を保持することができる。
【００６８】
なお、図示していないが、図６から図８において、ノードＡに画像信号に応じた電圧が書き込まれるとき、第３の端子は３５Ｖが印加されている。よって、第３の端子には、振幅の振れ幅の最大値と最小値との差が４０Ｖ（−５Ｖから３５Ｖ）の信号が供給される。なお、ノードＡにコモン電極に供給される信号の振幅の振れ幅の最大値が書き込まれるとき、第３の端子は３５Ｖが印加されている。よって、第３の端子には、振幅の振れ幅の最大値と最小値との差が４０Ｖ（−５Ｖから３５Ｖ）の信号が供給される。
【００６９】
図９は従来のＰＤＬＣを用いた液晶表示装置の駆動方法を説明するためのタイミングチャートの例である。図９は、図６に示した本発明の一実施形態に係る表示装置の駆動方法と比較して、Ｔａｗｒ期間が無い点が異なる。
【００７０】
図１０及び図１１は、従来のＰＤＬＣを用いた液晶表示装置において、画素回路に印可される電圧の例を示す模式的な図である。なお、画素回路は、本発明の一実施形態と同様に、図８を用いて説明する。
【００７１】
図１０は、ノードＡに０Ｖが書き込まれた後の画素回路を示している。第６の端子はコモン電極であり、ＶＣＯＭＳに供給される信号の振幅の振れ幅の最大値である３０Ｖが供給されている。第３の端子は−５Ｖが印加されている。トランジスタ４３２の第２の端子と第３の端子との間の電圧Ｖｇｓは−３５Ｖである。したがって、トランジスタ４３２の第１の端子と第２の端子との間に電流は流れない。すなわち、トランジスタ４３２はオフ状態である。
【００７２】
図１１は、ノードＡに０Ｖが書き込まれ、さらに、コモン反転した後の画素回路を示している。第３の端子は−３５Ｖが印加されている。コモン反転することで、コモン電極の電位が、３０Ｖから０Ｖになる。それに伴い、ノードＡの電位が０Ｖから−３０Ｖになる。したがって、Ｖｇｓが−５Ｖとなる。よって、トランジスタ４３２はオフ状態を保っており、トランジスタ４３２のソースまたはドレインの一方から、トランジスタ４３２の第１の端子と第２の端子との間に電流は流れない。よって、トランジスタ４３２は、画像信号に応じた電圧を保持することができる。
【００７３】
図９から図１１において示した通り、従来のＰＤＬＣを用いた液晶表示装置において、コモン反転することで、ノードＡの電位がコモン電極の電位が低下した分低下する。トランジスタ４３２のゲートは、振幅が７０Ｖ（−３５Ｖから３５Ｖ）の信号が供給される。なお、液晶素子４３６の一方にコモン電極に供給される信号の振幅の振れ幅の最大値が書き込まれるとき、トランジスタ４３２のゲートは３５Ｖが印加されている。よって、トランジスタ４３２のゲートは、振幅が７０Ｖ（−３５Ｖから３５Ｖ）の信号が供給される。
【００７４】
図６から図８で説明したように、本発明の一実施形態に係る表示装置においては、コモン反転を行う前に、表示装置が有するすべての画素に、定電圧を印加する。本発明においては、画素が有するトランジスタのゲートに供給する信号の振幅は４０Ｖである。図９から図１１で説明したように、従来は、画素が有するトランジスタのゲートに供給する信号の振幅は７０Ｖである。したがって、本発明の一実施形態に係る表示装置においては、画素が有するトランジスタのゲートに供給する信号の振幅を、約４０％低減することができる。また、表示装置の耐圧を、約４０％向上させることができる。
【００７５】
図１２は、本発明の一実施形態に係る表示装置の駆動方法を説明するためのフローチャートの例である。ここでは、表示装置の駆動方法が、フレーム反転駆動とコモン反転駆動を組み合わせている例を示す。
【００７６】
表示パネル５００の駆動が開始される。１フレーム期間の駆動が開始され、画像信号に応じた電圧が入力される（ステップ３１（Ｓ３１））。１フレーム期間の駆動が終了する（ステップ３２（Ｓ３２））。ＶＣＯＭＳに供給される信号の電圧を反転するモード、すなわち、コモン反転駆動か否かを確認する（ステップ３３（Ｓ３３））。ＶＣＯＭＳに供給されている信号の電圧を反転しない場合、すなわち、コモン反転駆動でないＮＯの場合、Ｓ３１に戻る。ＶＣＯＭＳに供給されている信号の電圧を反転する場合、すなわち、コモン反転駆動であるＹＥＳの場合、全ての画素にＶＣＯＭ電圧を書き込む（ステップ３４（Ｓ３４））。全ての画素にＶＣＯＭ電圧を書き込んだ後に、ＶＣＯＭＳに供給されている信号の電圧を反転する（ステップ３５（Ｓ３５））。引き続き、Ｓ３１に戻って、駆動を行う。
【００７７】
本発明の一実施形態に係る表示装置は、画素が有するトランジスタのゲートに供給する信号の振幅を小さくすることができる。したがって、例えば、本発明の一実施形態に係る表示装置は、走査信号線駆動回路及び走査信号線駆動回路の動作電圧を低減できる。また、本発明の一実施形態に係る表示装置は、高電圧が必要な回路、例えば、レベルシフタ及び又はバッファの削減、電圧生成回路の縮小が可能となる。したがって、本発明の一実施形態に係る表示装置は、回路規模を縮小することができる。さらに、本発明の一実施形態に係る表示装置は、回路規模を縮小することができるため、各回路を接続する配線の長さを縮小することができる。よって、本発明の一実施形態に係る表示装置は、配線の抵抗や寄生容量を低減することができるため、回路間の信号の遅延を少なくすことができる。すなわち、本発明の一実施形態に係る表示装置は、表示装置の動作マージンを向上させることができる。
【００７８】
本発明の一実施形態に係る表示装置及び駆動方法により、表示装置のトランジスタに印可する電圧の振幅を小さくすることができる。すなわち、動作電圧を低減することができる。よって、表示装置の消費電力を低減することができる。また、表示装置のトランジスタの耐圧の要求値を下げることができる。さらに、動作電圧を低減することができるため、表示装置の回路構成を簡素化し、回路規模を縮小することができる。
【００７９】
（第２実施形態）
本実施形態では、本発明の一実施形態に係る表示装置の駆動方法の別の例を説明する。なお、第１実施形態と同様の構成に関しては説明を省略することがある。
【００８０】
図１３は、本発明の一実施形態に係る表示装置の駆動方法の別の例を説明するためのタイミングチャートである。図１３は、図５に示したタイミングチャートと比較して、フィールド期間ごとに、ＶＣＯＭＳに供給される信号を反転している点が異なる。その他は図５と同様であるから、説明は省略する。
【００８１】
図１３は図５と比較して、ＶＣＯＭＳに供給される信号の反転の周期を短く行っている。よって、本発明の一実施形態に係る駆動方法をもちいることで、液晶の焼き付きを防止し、良好な表示を実現することができる表示装置を提供することができる。
【００８２】
（第３実施形態）
本実施形態では、本発明の一実施形態に係る表示装置の駆動方法のさらに別の例を説明する。なお、第１実施形態または第２実施形態と同様の構成に関しては説明を省略することがある。
【００８３】
図１４は、本発明の一実施形態に係る表示装置の駆動方法のさらに別の例を説明するためのタイミングチャートである。図１４は、図５に示したタイミングチャートと比較して、表示パネル５００の画面を半分にわけている点が異なる。その他は図５と同様であるから、説明は省略する。
【００８４】
１番目のフレームの１Ｈについて説明する。Ｇ１、Ｇ２、Ｇ２４０、Ｇ２４１、Ｇ４７９及びＧ４８０が記載されたタイミングチャートは、表示パネル５００の画素５０２に画像信号に応じた電圧が書き込まれ、表示パネル５００に画像が表示されることを示している。Ｇ１、Ｇ２、Ｇ２４０、Ｇ２４１、Ｇ４７９及びＧ４８０が記載されたタイミングチャートにおいて、Ｔｗは、Ｇ１、及びＧ２からＧ２４０の順に画素５０２に画像信号に応じた電圧が書き込まれている期間である。この期間では、Ｇ１からＧ２４０の各行の走査信号線４１０に、電気的に接続されたトランジスタ４３２を制御する信号が供給されている。Ｇ１、Ｇ２及びＧ２４０が記載されたタイミングチャートにおいて、斜線部のうちのＦ／３−Ｔｗ−Ｔａｗｒ期間は、画像が表示されている期間である。この期間では、ＲＬＥＤ４１２が点灯している。
【００８５】
１Ｈにおいて、表示パネル５００の画面のうち、Ｇ１、及びＧ２からＧ２４０に示す半分の画面に画像信号に応じた電圧が書き込まれ、画像が表示される。
【００８６】
２番目のフレームは、１番目のフレームの１Ｈから３Ｈの動作が繰り返される。ただし、２番目のフレームは、Ｇ２４１からＧ４７９及びＧ４８０の順に画素５０２に画像信号に応じた電圧が書き込まれている期間である。すなわち、表示パネル５００の画面のうち、Ｇ２４１からＧ４７９及びＧ４８０に示す半分の画面に画像信号に応じた電圧が書き込まれ、画像が表示される。
【００８７】
なお、表示パネル５００の画面を半分に分けて、表示パネル５００を利用する場合、走査信号線駆動回路はＧ１からＧ２４０を制御する回路と、Ｇ２４１からＧ４８０を制御する回路とにわけてもよい。その時、ＧＳＰ及びＧＣＫは分割した両方の回路のそれぞれに供給されるようにしてもよい。また、液晶素子のコモン電極に供給される信号は、Ｇ１からＧ２４０に接続されている画素の液晶素子のコモン電極には第１のコモン電極を制御する信号が供給され、Ｇ２４１からＧ４８０に接続されている画素の液晶素子のコモン電極には第２のコモン電極を制御する信号が供給されるようにしてもよい。第１のコモン電極を制御する信号と、第２のコモン電極を制御する信号とは、お互いに独立していて、タイミングが異なってもよい。表示パネル５００の画面を半分に分けて、表示パネル５００を利用する場合の回路はこの構成に限定されない。本発明を逸脱しない範囲において、適宜検討した回路構成を適用すればよい。
【００８８】
例えば、Ｔｗの期間を１．０８ｍｓとする。また、１Ｆを１６．６８ｍｓとする。図１４は図５と比較して、表示パネル５００の画面の半分を画素５０２に画像信号に応じた電圧が書き込まれている期間が１．０８ｍｓであることによって、画像信号の書き込みを速く行っている。また、図１４は図５と比較して、画像が表示されている期間が４．４８ｍｓ−Ｔａｗｒであることによって、画像が表示を長く行っている。すなわち、画像信号を速く書き込み、長い期間画像を表示することができるため、液晶素子の応答時間を十分に確保することができる。したがって、表示装置は、表示ムラが無い、均一な画像を表示することができる。また、例えば、表示パネル５００の画面の半分に文字情報を表示し、残りの半分に画像情報を表示するといった、表示パネル５００の１画面に異なる情報を表示することができる。
【００８９】
本発明の実施形態として上述した各実施形態は、相互に矛盾しない限りにおいて、適宜組み合わせて実施することができる。
【００９０】
本明細書においては、開示例として主に表示装置及び駆動方法を例示した。しかし、本明細書に記載した発明は、液晶表示装置、あるいは電気泳動素子などを有する電子ペーパ型表示装置などに適用可能である。また、中小型の表示装置から大型の表示装置まで、特に限定することなく適用が可能である。
【００９１】
上述した各実施形態の態様によりもたらされる作用効果とは異なる別の作用効果であっても、本明細書の記載から明らかなもの、または、当業者において容易に予測し得るものについては、当然に本発明によりもたらされるものと解される。
【符号の説明】
【００９２】
３００・・・回路基板、３０２・・・電源部、３０４・・・信号供給部、４００・・・光源装置、４０２・・光源制御部、４０４・・・光源部、４０９・・・映像信号線、４１０・・・走査信号線、４１２・・・ＲＬＥＤ、４１４・・・ＧＬＥＤ、４１６・・・ＢＬＥＤ、４３２・・・トランジスタ、４３６・・・液晶素子、５００・・・表示パネル、５０２・・・画素、５０４・・・表示領域、５０６・・・映像信号線駆動回路、５０８、５１０・・・走査信号線駆動回路、５１２・・・コネクタ、５１４・・・基板、６００・・・表示装置
【図１】
2019078979.tif 000003
【図２】
2019078979.tif 000004
【図３】
2019078979.tif 000005
【図４】
2019078979.tif 000006
【図５】
2019078979.tif 000007
【図６】
2019078979.tif 000008
【図７】
2019078979.tif 000009
【図８】
2019078979.tif 000010
【図９】
2019078979.tif 000011
【図１０】
2019078979.tif 000012
【図１１】
2019078979.tif 000013
【図１２】
2019078979.tif 000014
【図１３】
2019078979.tif 000015
【図１４】
2019078979.tif 000016